(57)【要約】【課題】同一規格の化粧枠、放熱器及びシャーシを用いた場合でも高さが異なる反射板を配置可能にする。【解決手段】  実施形態に係る照明装置は、光源が取り付けられる放熱器と；前記光源からの光を放射する開口を有する取付面に取り付けられる化粧枠と；前記放熱器の相互に異なる高さの位置に設けられる複数の段差取付部と；一端が前記複数の段差取付部のうちの所定高さの段差取付部に固定され、他端が前記化粧枠に固定されて前記放熱器と前記化粧枠との間に光学特性調整空間を形成するシャーシと；前記光学特性調整空間に配置されて前記光源からの光の光学特性を調整する光学特性調整部材と；を具備する。【選択図】図１
2015162311.tif 000002
【特許請求の範囲】
【請求項１】
光源が取り付けられる放熱器と；
前記光源からの光を放射する開口を有する取付面に取り付けられる化粧枠と；
前記放熱器の相互に異なる高さの位置に設けられる複数の段差取付部と；
一端が前記複数の段差取付部のうちの所定高さの段差取付部に固定され、他端が前記化粧枠に固定されて前記放熱器と前記化粧枠との間に光学特性調整空間を形成するシャーシと；
前記光学特性調整空間に配置されて前記光源からの光の光学特性を調整する光学特性調整部材と；
を具備する照明装置。
【請求項２】
前記光源に供給する電力を発生する電源部と；
前記放熱器の端部に取り付けられ前記電源部を水平に支持する天板と；
を具備する請求項１に記載の照明装置。
【請求項３】
前記天板を前記放熱器に取り付ける位置は、前記複数の段差取付部のうち前記光学特性調整空間の高さを最長にする段差取付部近傍の位置に設定される
請求項２に記載の照明装置。
【請求項４】
前記光学特性調整部材は、前記光源からの光を反射させて配光を制御する反射板であり；
前記放熱器に取り付けられて前記反射板を支持する支持部材と；
前記放熱器に設けられ、前記化粧枠を前記取付面に取り付けるための取付部材から離間した位置で前記支持部材を取り付けるための支持部材取付部と；
を具備する請求項１乃至３のいずれか１つに記載の照明装置。
【請求項５】
前記支持部材取付部は、前記支持部材の基端部形状に応じた形状の凹部を有する
請求項４に記載の照明装置。
【発明の詳細な説明】
【技術分野】
【０００１】
本発明の実施形態は、照明装置に関する。
【背景技術】
【０００２】
従来、ＬＥＤ（Light  Emitting  Diode）等の半導体発光素子を光源とする照明装置が用いられている。このようなＬＥＤを用いた照明装置においては、小型化や大光量化のために、十分な放熱特性を満足させる必要があり、ＬＥＤモジュールに放熱器が取り付けられる。天井埋め込み式の照明装置では、ＬＥＤモジュール及び放熱器は天井裏に配置され、天井面に固定された化粧枠に取り付けられるシャーシによって、ＬＥＤモジュール及び放熱器を支持する構成が採用されることがある。
【０００３】
天井開口部（天井面）とＬＥＤモジュールの発光面との間の空間には、ＬＥＤモジュールからの光の配光を決定する反射板が配置される。同一の天井開口径に対応した同一規格の照明装置を用いる場合でも、反射板の高さを変えることで、配光を制御することが可能である。反射板の高さを変えることで、照明装置の設置場所に応じて必要な配光を得ることができる。
【先行技術文献】
【特許文献】
【０００４】
【特許文献１】特開２０１３−２４７０８７号公報
【発明の概要】
【発明が解決しようとする課題】
【０００５】
天井開口部（天井面）とＬＥＤモジュールの発光面との間の距離は、シャーシの長さによって決定される。そして、シャーシの長さに応じて配置可能な反射板の高さも決まる。このため、設置場所に応じて反射板の高さを変更するためには、必要な反射板の高さに応じて、異なる長さのシャーシを用意する必要があり、部品管理が煩雑となる。
【０００６】
本発明の実施形態は、同一規格の化粧枠、放熱器及びシャーシを用いた場合でも高さが異なる反射板を配置可能にすることができる照明装置を提供することを目的とする。
【課題を解決するための手段】
【０００７】
実施形態に係る照明装置は、光源が取り付けられる放熱器と；前記光源からの光を放射する開口を有する取付面に取り付けられる化粧枠と；前記放熱器の相互に異なる高さの位置に設けられる複数の段差取付部と；一端が前記複数の段差取付部のうちの所定高さの段差取付部に固定され、他端が前記化粧枠に固定されて前記放熱器と前記化粧枠との間に光学特性調整空間を形成するシャーシと；前記光学特性調整空間に配置されて前記光源からの光の光学特性を調整する光学特性調整部材と；を具備する。
【発明の効果】
【０００８】
本発明の実施形態によれば、同一規格の化粧枠、放熱器及びシャーシを用いた場合でも高さが異なる反射板を配置可能にすることができるという効果を有する。
【図面の簡単な説明】
【０００９】
【図１】本発明の一実施の形態に係る照明装置の外観例を斜め上方から見て示す斜視図。
【図２】図１の放熱器を斜め下方から見て示す斜視図。
【図３】図１の照明装置を水平方向から見た正面図。
【図４】図１の照明装置を水平方向から見た正面図。
【図５】図１の照明装置を水平方向から見た正面図。
【図６】図１の照明装置を上方から見た平面図。
【図７】取付け金具５４を用いた化粧枠３０の天井面への取付け状態を示す説明図。
【発明を実施するための最良の形態】
【００１０】
以下、図面を参照して本発明の実施の形態について詳細に説明する。
【００１１】
図１は本発明の一実施の形態に係る照明装置の外観例を斜め上方から見て示す斜視図である。また、図２は図１中の放熱器を斜め下方から見て示す斜視図である。図３乃至図５は図１の照明装置を水平方向から見た正面図であり、図６は図１の照明装置を上方から見た平面図であり、
本実施の形態は、光源が取り付けられる放熱器に、高さ方向の位置が異なる複数の段差取付部を構成し、設定すべき光学特性に応じて段差取付部を選択してシャーシを取り付けることで、同一サイズのシャーシを用いて放熱器から天井面までの高さ方向の空間のサイズを変更可能にしたものである。
【００１２】
本実施の形態に係る照明装置１は、例えば、屋内の天井に埋め込み設置されるダウンライト型の照明器具であり、ＬＥＤ等の発光素子を発光させることにより、下方向に位置する室内等を照明する。照明装置１は、放熱器１０と、化粧枠３０と、シャーシ５０とによって構成される。
【００１３】
放熱器１０は、熱伝導性の高い金属製であり、例えばアルミダイカストにより成型される。放熱器１０は、平面形状の基材１１と、基材１１の上面から上方向に立設された平面部材である複数の放熱フィン１２とによって構成される。
【００１４】
図３乃至図５に示すように、放熱器１０の基材１１の底面１１ａに、ソケット７０を介して光源であるＬＥＤモジュール８０が取り付けられるようになっている。ソケット７０は、中央が開口した円筒形状に構成され、周縁には放熱器１０の底面１１ａに取り付けるためのねじ孔（図示せず）が形成される。ソケット７０は、このねじ孔を介して、放熱器１０の底面１１ａに設けられた複数のねじ穴１８に図示しないねじを螺入することで、基材１１の底面１１ａに取り付けられる。
【００１５】
ソケット７０は、ＬＥＤモジュール８０を電気的に接続するための電極部材であり、図示しない係止部によってＬＥＤモジュール８０が着脱自在に取り付けられるようになっている。ソケット７０は、ＬＥＤモジュール８０が取り付けられた場合に、後述する電源部４０から供給された直流電源をＬＥＤモジュール８０に与えるようになっている。
【００１６】
ＬＥＤモジュール８０は、ＬＥＤ等の発光素子（図示せず）が実装された基板を内部に有し、ソケット７０に取り付けられて直流電源が供給されることにより、発光素子を発光させて室内等を照明する。ＬＥＤモジュール８０は、ソケット７０に装着されることにより、ソケット７０の中央開口を介して、上面の一部が基材１１の底面１１ａに面接触するように構成されており、ＬＥＤモジュール８０に発生した熱は、放熱器１０の底面１１ａに伝達される。放熱器１０は、ＬＥＤモジュール８０に発生した熱を放熱フィン１２等から外部に放出する。これにより、放熱器１０は、照明装置１の温度上昇を抑制することができる。
【００１７】
本実施の形態においては、ＬＥＤモジュール８０に電力を供給する電源部４０がＬＥＤモジュール８０から離間した位置に配置される別置型の構成を採用する。放熱器１０の放熱フィン１２の一部の上端には、天板４１を取り付けるための取付部（以下、天板取付部という）４３（図２）が構成されている。天板４１の端部には図示しないねじ孔が形成されており、このねじ孔を介して放熱フィン１２の天板取付部４３にねじ４２を螺入することで、天板４１を放熱器１０の上端に取り付け固定するようになっている。
【００１８】
天板４１の下面には電源部４０が取り付けられており、電源部４０内には図示しない電源回路及び端子部等が構成されている。電源部４０の図示しない端子部からは、ＬＥＤモジュール８０に供給する電源等を伝送する図示しないケーブルが外部に延設されており、このケーブルは、天板４１の下面に沿って放熱フィン１２側に導かれ、更に、放熱フィン１２に沿って基材１１側に導かれ、基材１１の一端に開口した開口部１１ｂ（図２）を介して基材１１の底面１１ａ側に導かれ、底面１１ａに沿ってソケット７０に導かれるようになっている。
【００１９】
光源内に電源を内蔵する所謂内蔵型は、発熱の問題から照明光量が比較的小さい照明装置にしか採用することができない。そこで、本実施の形態においては、電源を光源とは別の位置に配置する別置型を採用する。別置型を採用した場合には、一般的には、強度を考慮して、天板の一端を放熱器の端部に取り付けると共に、天板の他端を天井裏面に位置させて天井裏面で天板を支持する構成が採用される。しかしながら、この場合には、放熱器から天井裏面に架け渡された天板によって放熱器への空気の流が阻止され、放熱器の放熱効果が低下してしまう虞がある。
【００２０】
そこで、本実施の形態においては、放熱器１０に対する空気の流れが阻止されることがないように、天板４１を水平に配置するようになっている。これにより、放熱器１０の放熱フィン１２の周囲における空気の流がスムーズとなり、放熱器１０の放熱効果を向上させることができる。また、図２に示すように、電源部４０は、放熱器１０から離間した位置に配置される。これにより、電源部４０によって放熱フィン１２の周囲の対流が妨害されることがなく、放熱フィン１２の周囲の空気の循環をスムーズにして、放熱効果を一層向上させることができる。
【００２１】
このように、本実施の形態においては、放熱効果が高いことから、例えば、３０〜５５Ｗで、３０００ルーメン以上の照明装置を構成することが可能である。
【００２２】
なお、天板４１を水平に配置し、天井裏面側に傾斜させていないことから、天井裏面近傍に追加部品を配置することが可能である。例えば、照明装置を取り付けるための天井開口のサイズが大きい場合でも、天井開口のサイズに応じた追加部品を追加することで、後述する化粧枠３０のサイズよりも大きい天井開口にも、本実施の形態による照明装置１を配置することが可能である。即ち、本実施の形態によれば、天井開口に比べてサイズが異なる照明装置の設置も可能である。
【００２３】
化粧枠３０は、例えば、ＡＢＳ樹脂等の合成樹脂製、又は、アルミダイカスト等の金属製である。化粧枠３０は、上下両端がそれぞれ略円形に開口された円筒形状に形成され、下端部から外向きに突出した環状フランジ３１を有する。照明装置１を配設する図示しない天井面には、所定サイズの円形開口が形成される。環状フランジ３１が天井面に当接するまで、化粧枠３０の円筒形状部分を天井開口に挿入し、後述する取付け金具５４と環状フランジ３１とによって天井を挟むことで、化粧枠３０が天井に固定されるようになっている。
【００２４】
シャーシ５０は、例えば、アルミダイカスト等の金属により成型される棒状の固定部材である。シャーシ５０の一端を基材１１に固設し、シャーシ５０の他端を化粧枠３０に固設することで、基材１１と化粧枠３０とが離間した状態で固定されるようになっている。
【００２５】
ＬＥＤモジュール８０が取り付けられる放熱器１０の底面１１ａと化粧枠３０との間は、シャーシ５０によって離間して光学特性調整空間８５が構成される。この光学特性調整空間８５において、図４に示すように、反射板９０が取り付けられる。光学特性調整部材である反射板９０は、例えば、ＡＢＳ樹脂等の合成樹脂製、又は、アルミダイカストなどの金属製であり、上下両端がそれぞれ略円形に開口され、下側に向かうに従って拡径された円錐形状を有し、一部には狭径の係止部９１が形成されている。
【００２６】
一方、放熱器１０の底面１１ａには、反射板９０の支持部材である複数の取付けバネ９２が取り付け可能である。取付けバネ９２は、ステンレス等の弾性を有する金属により成型される弾性部材であり、突起部９２ａを有して、基材１１の周縁部から化粧枠３０に向かう方向に延伸する。反射板９０は、化粧枠３０の開口部から挿入されて、複数の取付けバネ９２の突起部９２ａに係止部９１が係止される。取付けバネ９２は、放熱器１０に取付けられた状態で外部から外側方向又は内側方向に力が加えられることにより変形する。そして、取付けバネ９２は、互いに近づく方向（内側方向）への付勢力によって反射板９０を挟持する。これにより、反射板９０は、取付けバネ９２により固定される。なお、反射板９０を、取付けバネ９２から取り外すことも可能である。
【００２７】
ＬＥＤモジュール８０は、下面が発光面であり、発光面からの光が反射板９０によって反射されながら、下方に照射される。反射板９０は、ＬＥＤモジュール８０から発光される光を反射させることで光学特性（配光）の調整が可能である。反射板９０の垂直方向の長さ（高さ）を変化させることで配光制御が可能である。光学特性調整のために、異なる高さの反射板９０を配置するには、光学特性調整空間８５の高さを調整する必要がある。
【００２８】
本実施の形態においては、シャーシ５０の長さを変えることなく、光学特性調整空間８５の高さを変更することができる。即ち、本実施の形態においては、基材１１には、高さが相互に異なる平坦面を有する段差取付部１３Ｓ，１３Ｍ，１３Ｌが構成される。なお、段差取付部１３Ｓ，１３Ｍ，１３Ｌを相互に区別する必要が無い場合には、段差取付部１３という。図１乃至図６では、それぞれ３つずつの段差取付部１３Ｓ，１３Ｍ，１３Ｌが構成された例を示しているが、段差取付部１３Ｓ，１３Ｍ，１３Ｌはそれぞれ基材１１に２つ以上形成されればよい。シャーシ５０は、高さが同一位置の段差取付部１３（図１では３箇所）に取り付ける。本実施の形態においては、配光制御に応じて、シャーシ５０を取り付ける段差取付部１３を変更することで、光学特性調整空間８５の高さを変更することができる。
【００２９】
段差取付部１３Ｓ，１３Ｍ，１３Ｌは、それぞれシャーシ５０の上端面に対応した平坦面１４Ｓ，１４Ｍ，１４Ｌ（以下、代表して平坦面１４ともいう）を有し、各平坦面１４にはねじ孔１５が形成されている。一方、シャーシ５０の上端面にも図示しないねじ孔が形成されており、シャーシ５０の上端面を段差取付部１３の平坦面１４に当接させて、平坦面１４のねじ孔１５及びシャーシ５０のねじ孔にねじ５３を螺入することで、シャーシ５０の上端面と段差取付部１３の平坦面１４とを相互に固定することができる。
【００３０】
また、シャーシ５０の下端には、化粧枠３０に設けられたねじ孔に対応する位置にねじ孔５２が形成されており、これらのねじ孔に図示しないねじを螺入することで、シャーシ５０の下端と化粧枠３０とを相互に固定することができる。
【００３１】
３つのシャーシ５０を、３箇所の段差取付部１３Ｓに取り付けるか、３箇所の段差取付部１３Ｍに取り付けるか、又は３箇所の段差取付部１３Ｌに取り付けるかによって、光学特性調整空間８５の高さを最小、中間又は最大に変更することができる。
【００３２】
図１及び図３の例は、シャーシ５０を段差取付部１３Ｌに取り付けた例を示しており、光学特性調整空間８５の高さは最大である。また、図４の例は、シャーシ５０を段差取付部１３Ｍに取り付けた例を示しており、光学特性調整空間８５の高さは中間の値である。また、図５の例は、シャーシ５０を段差取付部１３Ｓに取り付けた例を示しており、光学特性調整空間８５の高さは最小である。
【００３３】
図１乃至図６の例では、放熱器１０の基材１１には、同一高さの３つの段差取付部の組が、異なる高さの３つの組だけ隣り合って階段状に設けれているが、本実施の形態においては、同一高さの２つ以上の段差取付部の組が、相互に異なる高さで複数設けられていればよい。
【００３４】
ところで、本実施の形態においては、別置型を採用し、更に、放熱効果を考慮して、天板４１を水平に配置した。このため、天井面の振動によって天板４１も振動することがあり、天板４１と放熱器１０との取付部分に比較的大きな力が印加される虞がある。特に、天板４１と天井面との距離が大きいほど、天板４１の振動は大きくなるものと考えられる。
【００３５】
そこで、本実施の形態においては、天板取付部４３をシャーシ５０の配置位置近傍に配置する。これにより、シャーシ５０によって重量物である電源部４０を安定的に支持することができる。特に、天板４１と天井面との距離が最も大きい状態、即ち、シャーシ５０が段差取付部１３Ｌに固定される場合に天板４１の振動を抑制するように、図６等に示すように、天板取付部４３の位置を段差取付部１３Ｌ近傍の位置に位置させるようになっている。これにより、振動による影響が最も大きくなる場合でも、より安定した取り付け状態を維持することができる。
【００３６】
化粧枠３０を天井面に取り付ける取付け金具５４は、シャーシ５０に取り付けられる。シャーシ５０は、縦方向に一対の摺動孔５１を有し、摺動孔５１の上端には逃げ孔５１ａが形成される。取付け金具５４は、上部側に図示しない係合部を有しており、この係合部が逃げ孔５１ａを通過することで、取付け金具５４をシャーシ５０に取り付けることができる。シャーシ５０に取り付けられた取付け金具５４は、摺動孔５１にそって上下方向に摺動自在に構成されている。取付け金具５４は、上部側が係合部によってシャーシ５０に係合された状態で、下端側はシャーシ５０から離れる方向に移動可能である。
【００３７】
図７は取付け金具５４を用いた化粧枠３０の天井面への取付け状態を示す説明図である。照明装置１を天井に埋め込み設置する場合には、室内側から天井１００の天井開口１００ａに照明装置１を挿入する。この場合には、照明装置１を傾けて先ず電源部４０を天井開口１００ａに挿入し、次いで、放熱器１０の部分を天井開口１００ａから天井裏側に挿入する。そして、取付け金具５４の上端から下端までを図３のようにシャーシ５０に沿わせた状態で、シャーシ５０の部分を天井開口１００ａから天井裏に挿入する。
【００３８】
こうして、化粧枠３０を天井開口１００ａに位置させ、環状フランジ３１を天井面に当接させた状態で、作業者が手（図示せず）を化粧枠３０の中央開口から光学特性調整空間８５内に入れて、指で取付け金具５４を下方に下げながら、その下端をシャーシ５０から離間する方向に移動させ、上方から下方に取付け金具５４を押し付ける。この状態では、取付け金具５４の上端の平板部５４ａがシャーシ５０表面に係止され、取付け金具５４の上方への移動が阻止される。これにより、取付け金具５４の下端は、天井１００の裏面を押圧して、取付け金具５４と環状フランジ３１との間で天井１００を挟み込む。こうして、照明装置１が天井１００に固定される。
【００３９】
上述した取付けバネ９２は、基端側が略直角に折れ曲がって、水平な設置面が形成されている。この設置面を基材１１の底面１１ａに設けられた取付け凹部１９に嵌込み、設置面に設けた図示しないねじ孔及び取付け凹部１９内のねじ孔２０に、図示しないねじを螺入することで、取付けバネ９２は取付け凹部１９に固定される。設置面の取付部（支持部材取付部）である取付け凹部１９は、取付けバネ９２の設置面に応じた形状に形成されており、ねじ止めに際して、設置面を取付け凹部１９に嵌込んだ状態でねじ止めすることにより、取付けバネ９２の基材１１への取付に際して、取付けバネ９２が回転することを防止することができ、取付けバネ９２の固定が容易である。
【００４０】
また、取付け凹部１９は基材１１の２箇所以上に設けられていればよいが、本実施の形態においては、取付けバネ９２をシャーシ５０の配置位置の近傍以外の位置に取り付け可能なように、取付け凹部１９が設けられている。例えば、図２の例では、４箇所に設けた取付け凹部１９のうちの３箇所は、段差取付部１３が形成されていない底面領域１６近傍に形成される。従って、図２の例では、シャーシ５０をいずれの段差取付部１３に取り付けた場合でも、シャーシ５０の配置位置近傍でない少なくとも３箇所の取付け凹部１９に取付けバネ９２を取り付けることができる。なお、シャーシ５０を段差取付部１３Ｍに取り付けない場合には、段差取付部１３Ｍ近傍の取付け凹部１９に取付けバネ９２を取り付けるようにしてもよい。
【００４１】
取付けバネ９２をシャーシ５０が配置される位置の近傍以外の位置に取付けることで、取付け金具５４による天井面への取付け作業において、取付けバネ９２が作業の邪魔になることを防止することができる。なお、本実施の形態においては、取付け金具５４をシャーシ５０に取り付ける例を説明したが、取付け金具がシャーシ５０以外の位置に配置される場合には、取付けバネ９２をこの取付け金具の配置位置の近傍以外の位置に取り付けるようにすればよい。
【００４２】
また、シャーシ５０が配置される基材１１の位置は、電源部４０とソケット７０との間の配線位置としては適当ではない。そこで、本実施の形態においては、図２に示すように、電源部４０からのケーブルを通過させる開口部１１ｂは、段差取付部１３が形成されていない底面領域１６に設けられている。これにより、ケーブルがシャーシ５０の取付作業に邪魔になることはなく、スムーズな取付け作業が可能となる。
【００４３】
このように、本実施の形態においては、放熱器の基材に高さが異なる段差取付部を形成し、光学特性に応じた位置の段差取付部を選択してシャーシを取り付けることで、放熱器と化粧枠との間の光学特性調整空間の高さを調整することができる。これにより、同一部品を用いた場合でも、異なる高さの光学特性調整部材を取り付けることができ、煩雑な部品管理をすることなく、配光特性等を容易に調整可能である。
【００４４】
また、光源と電源との位置が異なる別置型を採用した場合でも、電源部が水平に配置されるので、放熱器の周囲の空気の流れがスムーズとなり、放熱特性を向上させることができる。これにより、同一サイズの放熱器を使用した場合でも、高い発光量の照明装置を構成することができる。
【００４５】
また、反射板を固定するための取付けバネは、天井面への取付け金具の取付位置から離間した位置に取り付けられるので、取付けバネが天井面への器具の取付作業の妨げとなることはなく、取付け作業を簡単にすることができる。
【００４６】
なお、上記実施の形態においては、光学特性調整部材として、反射板を用いる例を説明したが、反射板に代えて化粧枠に拡散板やレンズを取り付ける場合でも同様に適用可能である。
【００４７】
なお、上記実施の形態においては、放熱器にソケットを取り付けて光源を放熱器から取り外し可能な分離型で、且つ光源を駆動する電源を光源とは異なる位置に配置した別置型の照明装置に適用した例を説明したが、光源を放熱器から取り外すことができない一体型や光源を駆動する電源が光源に内蔵された内蔵型にも同様に適用可能である。
【００４８】
また、上記実施の形態に係る各部材の形状、原料及び材質は、実施形態や各図に表記した例に限られない。例えば、基材、ソケット、化粧枠、ＬＥＤモジュール、反射板等の形状は、円形でなく矩形であってもよい。
【００４９】
また、上記実施形態では、固定ネジ等によって各部材を固設する例を示したが、固定ネジ以外のピン等の固定部材によって各部材が固設されてもよい。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１０…放熱器、１１…基材、１３Ｓ，１３Ｍ，１３Ｌ…段差取付部、３０…化粧枠、４０…電源部、４１…天板、５０…シャーシ、５４…取付け金具、９２…取付けバネ。
【図１】
2015162311.tif 000003
【図２】
2015162311.tif 000004
【図３】
2015162311.tif 000005
【図４】
2015162311.tif 000006
【図５】
2015162311.tif 000007
【図６】
2015162311.tif 000008
【図７】
2015162311.tif 000009